(57)【要約】【課題】  どのような地震の揺れでも消火器の転倒を防止可能な消火器転倒防止器具を提供する。【解決手段】  この消火器の転倒を防止するための消火器転倒防止器具１０は、一方の面が固定面としての床面に固定され、他方の面に消火器が載置される基台１２と、基台１２の一方の面に設けられ、基台１２を床面に固定する基台固定部としての両面接着テープ１５と、基台１２の他方の側に設けられ、消火器の胴体部を取り囲む環状部１８と、基台１２の一側面と環状部１８の側面とを連結する連結部１７とを概略具備している。【選択図】図１
2009226181.tif 000002
【特許請求の範囲】
【請求項１】
一方の面が固定面に固定され、他方の面に消火器が載置される基台と、
前記基台の一方の面に設けられ、前記基台を前記固定面に固定する基台固定部と、
前記基台の他方の面の側に設けられ、前記消火器の胴体部を取り囲む環状部と、
前記基台の側面と前記環状部の側面とを連結する連結部と、
を具備することを特徴する消火器転倒防止器具。
【請求項２】
前記基台は、他方の面に滑り止め部を備えることを特徴とする請求項１に記載の消火器転倒防止器具。
【請求項３】
前記基台に剥離機構を設けたことを特徴とする請求項１または請求項２に記載の消火器転倒防止器具。
【請求項４】
前記剥離機構は、一方の面と他方の面とを貫通する貫通穴であることを特徴とする請求項３に記載の消火器転倒防止器具。
【請求項５】
前記剥離機構は、一方の面に設けられた座繰り穴であることを特徴とする請求項３に記載の消火器転倒防止器具。
【請求項６】
前記剥離機構は、前記基台の一方の面に設けられた凹み部と、前記凹み部の位置に設けられ、前記基台を他方の面から一方の面に向かって貫通するネジ穴部と、前記凹み部に収納される押圧具とからなることを特徴とする請求項３に記載の消火器転倒防止器具。
【請求項７】
前記剥離機構は、前記基台の略中心に設けられていることを特徴とする請求項３乃至請求項６に記載の消火器転倒防止器具。
【請求項８】
前記剥離機構は、前記基台の周辺部に設けられていることを特徴とする請求項３乃至請求項６に記載の消火器転倒防止器具。
【発明の詳細な説明】
【技術分野】
【０００１】  本発明は、一般家庭や事務所に設置されている消火器の転倒を防止する消火器転倒防止器具に関する。
【背景技術】
【０００２】  一般家庭や事務所において、消火器は、固定せずに床面に載置されたり、消火器の胴体部背面に設けられた壁掛け用金具で壁面に壁掛けられたりしていることが多い。【０００３】  または、特許文献１のように、壁面に収納するための消火器収納箱に収納されることもある。
【特許文献１】  特開２０００−３１２７２５号公報
【発明の開示】
【発明が解決しようとする課題】
【０００４】  しかしながら、固定せずに床面に載置されたり、壁面も壁掛けられたりしている場合、地震等の揺れによる消火器が転倒で、消火器が故障したり消火器内部の消火液が噴出したりして、使用できなくなる可能性があった。また、消火器本体は、鉄製で重量があり、かつ円柱形状であるため、地震等の揺れによる転倒で人や物を傷つける可能性もあった。【０００５】  また、特許文献１に開示の消火器収納箱は、地震等の揺れで転倒する可能性はないが、その収納箱自身が高価であると共に、壁面等に収納箱を設置する必要もあった。
【課題を解決するための手段】
【０００６】  この発明の目的は、上述した事情に鑑みなされたもので、この発明の主たる目的は、安価に消火器の転倒を防止することが可能な消火器転倒防止器具を提供することである。【０００７】  上述した課題を解決し、目的を達成するため、この発明に係わる消火器転倒防止器具は、請求項１の記載によれば、一方の面が固定面に固定され、他方の面に消火器が載置される基台と、前記基台の一方の面に設けられ、前記基台を前記固定面に固定する基台固定部と、前記基台の他方の面の側に設けられ、前記消火器の胴体部を取り囲む環状部と、前記基台の側面と前記環状部の側面とを連結する連結部と、を具備することを特徴する。【０００８】  また、上述した課題を解決し、目的を達成するため、この発明に係わる消火器転倒防止器具は、請求項２の記載によれば、前記基台は、他方の面に滑り止め部を備えることを特徴とする。【０００９】  また、上述した課題を解決し、目的を達成するため、この発明に係わる消火器転倒防止器具は、請求項３の記載によれば、前記基台に剥離機構を設けたことを特徴とする。【００１０】  また、上述した課題を解決し、目的を達成するため、この発明に係わる消火器転倒防止器具は、請求項４の記載によれば、前記剥離機構は、一方の面と他方の面とを貫通する貫通穴であることを特徴とする。【００１１】  また、上述した課題を解決し、目的を達成するため、この発明に係わる消火器転倒防止器具は、請求項５の記載によれば、前記剥離機構は、一方の面に設けられた座繰り穴であることを特徴とする。【００１２】  また、上述した課題を解決し、目的を達成するため、この発明に係わる消火器転倒防止器具は、請求項６の記載によれば、前記剥離機構は、前記基台の一方の面に設けられた凹み部と、前記凹み部の位置に設けられ、前記基台を他方の面から一方の面に向かって貫通するネジ穴部と、前記凹み部に収納される押圧具とからなることを特徴とする。【００１３】  また、上述した課題を解決し、目的を達成するため、この発明に係わる消火器転倒防止器具は、請求項７の記載によれば、前記剥離機構は、前記基台の略中心に設けられていることを特徴とする。【００１４】  また、上述した課題を解決し、目的を達成するため、この発明に係わる消火器転倒防止器具は、請求項８の記載によれば、前記剥離機構は、前記基台の周辺部に設けられていることを特徴とする。
【発明の効果】
【００１５】  この発明によれば、安価に消火器の転倒を防止することが可能な消火器転倒防止器具を提供することができる。【００１６】  また、この発明によれば、どのような地震の揺れでも消火器の転倒を効果的に防止可能な消火器転倒防止器具を提供することができる。【００１７】  また、この発明によれば、配置変更の容易な消火器転倒防止器具を提供することができる。
【発明を実施するための最良の形態】
【００１８】  以下に図１乃至図４を用いて、本発明の消火器転倒防止器具を説明する。図１は、消火器の固定に使用する本発明の消火器転倒防止器具の斜視図である。図２は、消火器転倒防止器具の平面図である。図３は、消火器転倒防止器具の正面図である。図４は、消火器転倒防止器具の右側面図である【００１９】  地震等による揺れに対して転倒を防止したい消火器は、一般に、円柱形の胴体部の一端に消化液噴出用ノズルと消化液噴出レバーとを備え、他端は床面への設置面となっている。また、その胴体部の材質は、一般には鉄製である。【００２０】  この消火器の転倒を防止するための消火器転倒防止器具１０は、一方の面が固定面としての床面に固定され、他方の面に消火器が載置される基台１２と、基台１２の一方の面に設けられ、基台１２を床面に固定する基台固定部としての両面接着テープ１５と、基台１２の他方の側に設けられ、消火器の胴体部を取り囲む環状部１８と、基台１２の側面と環状部１８の側面とを連結する連結部１７とを概略具備している。【００２１】  基台１２は、図２乃至図４に示すとおり、略矩形の形状である。この基台１２の側面には、基台１２（図２の紙面）に対して略垂直に連結部１７の一端が固着されている。また、基台１２の一方の面には、基台１２を床面に固定するための両面接着テープ１５が四隅近傍に複数（四カ所）設けられている。さらに、基台１２の他方の面には、地震等の揺れによる消火器の底面の滑りを防止するための滑り止め部１４が設けられている。さらにまた、基台１２の略中心には、一方の面と他方の面とを貫通する六角形の貫通穴１６が設けられている。【００２２】  また、環状部１８は、転倒を防止したい消火器の胴体部を取り囲む環状の形状となっている。この環状部１８は、基台１２の他方の面の側に一定距離離間され、かつ、環状部１８の略中心が基台１２の略中心と同心になるように配置された状態で、連結部１７の他端が環状部１８の側面に固着されている。【００２３】  連結部１７は、略長方形の形状となっており、一端が基台１２の側面に、他端が環状部１８の側面に固着されている。【００２４】  なお、基台１２、環状部１８、連結部１７は、例えば鉄やステンレス、合成樹脂等のように、消火器の転倒を防止するために必要な剛性を備えた材料であればどのような材料であってもよく、またその厚みも仕様に合わせて、例えば数ミリから数十ミリ等、任意に設定可能である。【００２５】  上述したような構成を持つ、本発明の消火器転倒防止器具１０の床面への設置方法と床面からの取り外し方法、及び消火器転倒防止器具１０による消火器の転倒防止の仕組みについて以下に説明する。【００２６】  消火器転倒防止器具１０の床面への設置方法は、最初に基台１２の一方の面に設けられた両面接着テープ１５の接着面保護シールを剥がし、消火器を設置したい位置に、この消火器転倒防止器具１０を設置し、床面に強く押し付けることで固定する。その後、消火器を環状部１８の上部（図１の紙面上側）から環状部１８の環の内側を通過するように通して、滑り止め部１４の上に消火器を載置する。【００２７】  転倒を防止したい消火器は、一般に鉄製であり、その底面は材質の特性上、床面と並行方向に滑り���く、地震等の揺れによる転倒の原因となっている。【００２８】  また、消火器は重量が重いため、消火器の重心は高い位置（床面から高さ方向に離れた位置）となっており、滑りが発生しないとしても、地震等の揺れにより傾きやすく（底面が床から浮きやすく）、これも転倒の原因となっている。【００２９】  このような地震等による消火器の転倒を防止するために、本発明の消火器転倒防止器具１０は、消火器の滑りを防止する滑り止め部１４と、消火器の傾きを防止するための環状部１８とが協働することになる。【００３０】  具体的には、滑り止め部１４は、例えば、ポリ塩化ビニール、ポリエチレン、ポリエステル、天然ゴム等の滑り止めの機能を有する各種材料が用いられており、消火器の底面と基台１２の他方の面との間の滑りを防止する。【００３１】  また、消火器は滑り止め部１４に直接載置されているので、消火器の重量が滑り止め部１４を介して基台１２に直接かかることになり、両面接着テープ１５による基台１２の床面への接着がより強固になるため、消火器の転倒防止に非常に有効である。【００３２】  また、環状部１８は、消火器の円柱状の胴体部を取り囲むように配置されているので、地震等の揺れにより消火器がどの方向に傾いても、消火器の転倒を防止できる。なお、環状部１８と基台１２の他方の面との離間距離は、消火器の底面から重心位置までの長さより長くすると、より効果的である。【００３３】  また、環状部１８は、若干の隙間を設けて消火器の胴体部を取り囲むような形状としてあり、火災の際に消火器を消火器転倒防止器具１０から取り出すときにも、スムーズに取り出すことが可能である。【００３４】  次に、消火器の据え置き位置の変更の際の消火器転倒防止器具１０の床面からの取り外し方法について説明する。【００３５】  両面接着テープ１５は、取り外し可能、または交換可能な両面接着テープを使用している。また、本発明の消火器転倒防止器具１０は、事務所内の各種物品の配置換えや掃除で、消火器の据え置き位置を変更することを容易にするために、消火器転倒防止器具１０を床面から取り外すための剥離機構としての六角形の貫通穴１６が設けられている。【００３６】  消火器転倒防止器具１０を床面から取り外すには、この六角形の貫通穴１６に六角ナットを嵌め込み、スパナ等で当該六角ナットを回転させることで行う。このスパナ等による六角ナットの回転により両面接着テープ１５が床面から剥離するので、本発明の消火器転倒防止器具１０は、大きな力を必要とせずに床面から取り外しが可能となる。【００３７】  なお、この取り外しの際に、スパナ等で基台１２へ回転の力をかける作業において、その力は基台１２の六角の貫通穴１６にはかかるが、六角ナットが接触している床面には力はかからないため、床面の表面を傷つけることがなく、消火器の移動後の床面を美しく保つことが可能である。【００３８】  なお、消火器転倒防止器具１０を床面から取り外すための剥離機構として、基台１２の一方の面から他方の面を貫通する貫通穴としたが、例えば、基台１２の他方の面に設けた座繰り穴であっても良い。なお、このように、座繰り穴とした場合にも、六角ナットは床面に接触しないので、床面の表面を傷つけることはない。【００３９】  また、消火器転倒防止器具１０を床面から取り外すための剥離機構として、基台１２の一方の面に設けた六角形の穴としたのは、六角ナットの入手が容易だからではあるが、六角ナットとスパナ等の代わりに、基台１２を回転させるための取り外し用の治具を準備しても良い。【００４０】  また、この剥離機構として、基台１２の一方の面に設けられた凹み部と、凹み部の位置に設けられ、基台１２を他方の面から一方の面に向かって貫通するネジ穴部と、凹み部に収納される押圧具からなる剥離機構を設けても良い。【００４１】  このような剥離機構の場合、凹み部の深さは、基台１２の厚み（一方の面から他方の面の間の距離）に対して、任意に設定可能であり、また、凹み部の形状は、略矩形でも略円形でも良い。【００４２】  また、当該剥離機構を構成するネジ穴部は、凹み部の略中心に設けられた雌ネジを有する穴であり、基台１２を床面から取り外す際に、例えば市販されるネジを基台１２の他方の面から螺合できるようになっている。【００４３】  また、当該剥離機構を構成する押圧具は、例えば鉄やステンレス等でできた金属製の板状の部材であり、その厚みは凹み部の深さよりも薄く設定され、その大きさは凹み部の大きさより小さく設定されている。【００４４】  当該剥離機構を用いて、消火器転倒防止器具１０を床面から取り外す手順は以下のとおりである。まず、ネジ穴部に、ネジを基台１２の他方の面の側から螺合、回転させることで凹み部の内部にネジの先端を突出させ、押圧具に当接するよう進出させる。さらにネジを進出させると、押圧具に当接したネジの反力で、押圧具が基台１２を両面接着テープ１５の接着力に抗して床面５０から持ち上げて剥離させる。この結果、消火器転倒防止器具１０を床面から取り外すことが可能となる。【００４５】  なお当該剥離機構を用いれば、基台１２を床面から剥離させる力が、押圧具を介して床面に伝達され、ネジの先端が直接床面に接触することがないため、床面の表面を傷つけることがなく、消火器の移動後の床面を美しく保つことが可能である。【００４６】  またに、消火器転倒防止器具１０を床面から剥がすための道具は、一般に市販されるネジとネジ用ドライバーだけで済み、取り外しのために特別な道具を必要としない。【００４７】  また、その他の剥離機構としては、例えば基台１２の一方の面に設けた傾斜面であって、この傾斜面が基台１２の側面において開放する箇所にマイナスドライバ等を挿入し、梃子の原理を利用して基台１２を床面から取り外す仕組みとしても良い。【００４８】  なお、上述した剥離機構の位置について、図１乃至図４に示したように、剥離機構が六角形の貫通穴１６や座繰り穴の際には、基台１２の略中心（基台１２の対角線の交わる位置）とすれば、スパナ等での取り外しの作業時に、基台１２の対角線上にある四隅の両面接着テープ１５にバランス良く力がかかり、きれいに、かつ大きな力をかけることなく消火器転倒防止器具１０床面から取り外すことが可能である。【００４９】  また、この剥離機構の位置について、剥離機構が、基台１２の一方の面に設けられた凹み部と、凹み部の位置に設けられ、基台１２を他方の面から一方の面に向かって貫通するネジ��部と、凹み部に収納される押圧具からなる剥離機構や、基台１２の側面において開放する、基台１２の一方の面に設けた傾斜面からなる剥離機構の際には、基台１２の略中心（基台１２の対角線の交わる位置）を外れた位置、例えば基台１２の周辺部に設ければ、四隅の両面接着テープ１５に剥離機構を設けた位置に近い順番に力がかかり、きれいに、かつ大きな力をかけることなく消火器転倒防止器具１０床面から取り外すことが可能である。【００５０】  以上、説明したように、本発明の消火器転倒防止器具１０を使用することにより、地震等の揺れの際の消火器の滑り防止と、傾き防止の両方を実現することとなり、確実に消火器の転倒防止が可能となる。【００５１】  また、本発明の消火器転倒防止器具１０は、鉄や合成樹脂等、入手容易な材料を用いており、また、構成も非常に簡単であるため、製造コストが非常に安価である。【００５２】  さらに、本発明の消火器転倒防止器具１０は、設置後の配置換えが容易であるので、特に最近の工場等のように生産設備を頻繁に配置換えする場合においても対応可能となっている。【００５３】  またさらに、本発明の消火器転倒防止器具１０は、設置後に配置換えを行っても、設置した床面を傷つけることもない。【００５４】  なお、本発明の消火器転倒防止器具１０の説明においては、基台１２を床面に接着するのに両面接着テープ１５を使用すると説明したが、この代わりに、基台１２を接着剤等で直接床面に固定する等、消火器の転倒を防止するために必要な接着力を得られるのであれば、各種接着剤を使用しても良いことは説明するまでもない。【００５５】  また、基台１２の形状について、略矩形であると説明したが、もちろん略円形、多角形等、その形状は問わないことは説明するまでもない。【００５６】  また、環状部１８は、転倒を防止したい消火器の胴体部を取り囲む環状の形状と説明したが、その機能が損なわなければ、変形可能なベルト状のものを使用して良いことは言うまでもない。【００５７】  また、基台１２を床面に固定するための両面接着テープ１５は、四隅近傍に複数（四カ所）設けられていると説明したが、例えば基台１２の一方の面全体を覆うような一枚の両面接着テープとしてもよいし、また、接着剤で全面を床面に固定しても良い。【００５８】  また、連結部１７は、環状部１８を支えて消火器の転倒を防止する機能が損なわなければ、図に示した板状の連結部以外に、例えば棒状としてもよいし、また、複数設けても良いことは言うまでもない。
【図面の簡単な説明】
【００５９】
【図１】  消火器の固定に使用する本発明の消火器転倒防止器具の斜視図である。
【図２】  消火器転倒防止器具の平面図である。
【図３】  消火器転倒防止器具の正面図である。
【図４】  消火器転倒防止器具の右側面図である。
【符号の説明】
【００６０】１０・・・消火器転倒防止器具、  １２・・・基台、  １４・・・滑り止め部、  １５・・・両面接着テープ、  １６・・・貫通穴、  １７・・・連結部、  １８・・・環状部、
【図１】
2009226181.tif 000003
【図２】
2009226181.tif 000004
【図３】
2009226181.tif 000005
【図４】
2009226181.tif 000006